(57)【要約】【課題】  簡易且つ合理的な構造でありながら組立の正常・異常が明確に判別可能なボタンとケースの逆組み防止構造を得ること。【解決手段】  筒状本体３１，４１を備えたケース３０，４０にボタン１０，２０を嵌合するボタン装置１の組み付け構造において、  ケース３０，４０には、ボタン本体１１，２１の嵌合位置確認用突出部材５０，６０を設け、筒状本体３１，４１の突出端面３４，４４からボタン本体１１，２１の底面１５ａ，２５ａまでの間隔をＬ１、筒状本体３１，４１の突出端面３４，４４から嵌合位置確認用突出部材５０，６０の先端面５１，６１までの間隔をＬ２とした場合に、正規の嵌合状態のときに「Ｌ１＜Ｌ２」となり、また、非正規の嵌合状態ときには、「Ｌ１＞Ｌ２」となるように構成した。【選択図】  図１
2018125067.tif 000002
【特許請求の範囲】
【請求項１】
筒状本体（３１），（４１）を備えたケース（３０），（４０）にボタン（１０），（２０）を嵌合するボタン装置（１）の組み付け構造において、
ボタン本体（１１），（２１）の外壁面（１２），（２２）の長手方向にリブ（１３），（２３）を設ける一方、前記ケース（３０），（４０）には、前記リブ（１３），（２３）が嵌合可能なスリット（３３），（４３）を設け、前記リブ（１３），（２３）が前記スリット（３３），（４３）と嵌合したときに正規の嵌合状態を形成するものであって、
前記筒状本体（３１），（４１）は突出端面（３４），（４４）を備えるとともに、前記ボタン本体（１１），（２１）は、底面（１５ａ），（２５ａ）を設けた基部（１５），（２５）を備え、
更に前記ケース（３０），（４０）には、前記ボタン本体（１１），（２１）の嵌合位置確認用突出部材（５０），（６０）を設けて構成され、
前記筒状本体（３１），（４１）の前記突出端面（３４），（４４）から前記ボタン本体（１１），（２１）の前記底面（１５ａ），（２５ａ）までの間隔をＬ１、前記筒状本体３１，４１の前記突出端面（３４），（４４）から前記嵌合位置確認用突出部材（５０），（６０）の先端面（５１），（６１）までの間隔をＬ２とした場合に、
前記ケース（３０），（４０）に対する前記ボタン（１０），（２０）の嵌合が正規の嵌合状態のときに、前記リブ（１３），（２３）が前記スリット（３３），（４３）に挿入されて「Ｌ１＜Ｌ２」となり、また、前記ケース（３０），（４０）に対する前記ボタン（１０），（２０）の嵌合が非正規の嵌合状態ときには、前記リブ（１３），（２３）が前記筒状本体（３１），（４１）の前記突出端面（３４），（４４）に当接して「Ｌ１＞Ｌ２」となるように構成したことを特徴とするボタンの逆組み防止構造。
【請求項２】
前記ケース（３０），（４０）の内壁面には、前記ボタン（１０），（２０）の挿入方向に沿う突条（３５），（４５）を設けたことを特徴とする請求項１記載のボタンの逆組み防止構造。
【請求項３】
前記ボタン本体（１１），（２１）の前記底面（１５ａ），（２５ａ）を含む基部（１５），（２５）には、その四隅のうち少なくとも一つを切り欠いた切欠部（１５ｂ），（２５ｂ）が設けられており、前記ケース（３０），（４０）に対する前記ボタン（１０），（２０）の嵌合が正規の嵌合状態の場合は、前記切欠部（１５ｂ），（２５ｂ）の存在により前記基部（１５），（２５）は前記嵌合位置確認用突出部材（５０），（６０）と非当接となり、また、前記ケース（３０），（４０）に対する前記ボタン（１０），（２０）の嵌合が非正規の嵌合状態の場合には、前記基部（１５），（２５）が前記嵌合位置確認用突出部材（５０），（６０）に当接することを特徴とする請求項１記載のボタンの逆組み防止構造。
【請求項４】
前記ボタン本体（１１），（２１）の前記基部（１５），（２５）には、ボタンの反挿入方向に突出する脚部（１６），（２６）が設けられていることを特徴とする請求項１記載のボタンの逆組み防止構造
【発明の詳細な説明】
【技術分野】
【０００１】
本発明は、ケースにボタンを嵌合するボタン装置の組み付け構造において、ボタンの嵌合の正規・非正規を判別することができるボタンの逆組み防止構造に関する。
【背景技術】
【０００２】
ケースにボタンやコネクタなどの部品を嵌合する組み付け構造において、当該部品の組付けが正規であることを担保する逆組み防止構造が案出されている。例えば、電気的導通がプラスとマイナスに峻別されているコネクタでは、コネクタの逆組みによりプラスとマイナスの極性が相違して装置に不具合を生じるので、このような逆組みや逆差しを回避するように構成されている（特許文献１〜３）。
【０００３】
また、プラス・マイナスボタンのように、対となるプラスチック成形部品がある場合には、組込み相手のケースにリブやスリットを設け、これにプラスとマイナスにボタンを区分けして、例えばプラス（或いはマイナス）と表示されているボタンをプラス（或いはマイナス）用のケースに挿入するようにして、プラスとマイナスを変えることで逆組みを防止するものも知られている。
【先行技術文献】
【特許文献】
【０００４】
【特許文献１】実開平３−３７７７３号公報
【特許文献２】実開平３−６０７７８号公報
【特許文献３】特許第３３９３５０５号公報
【発明の概要】
【発明が解決しようとする課題】
【０００５】
前述したプラス・マイナスボタンの場合に、熟練度の低い作業者が組立を行うと、逆組み防止構造が設けられていても、組立が正規でないにも拘らず強引に組んでしまったり、或いは組込みが不十分であるにも拘らず組込めたと勘違いして次の工程に進んでしまう不具合を生じるおそれがあった。
【０００６】
一方で、逆組み防止用のリブを大きくして大掛かりな逆組み防止構造にすると、ケースにヒケ（成形収縮によって生じるへこみ）が発生してしまい、製品に求められる外観品質を維持できない不都合も生じるので、簡易な逆組み防止構造が望ましいものである。
【０００７】
そこで、本発明は、簡易且つ合理的な構造でありながら組立の正常・異常が明確に判別可能なボタンとケースの逆組み防止構造を提案するものである。
【課題を解決するための手段】
【０００８】
本願第１請求項に記載した発明は、実施例で用いた符号を付して記すと、筒状本体３１，４１を備えたケース３０，４０にボタン１０，２０を嵌合するボタン装置１の組み付け構造において、
ボタン本体１１，２１の外壁面１２，２２の長手方向にリブ１３，２３を設ける一方、前記ケース３０，４０には、前記リブ１３，２３が嵌合可能なスリット３３，４３を設け、前記リブ１３，２３が前記スリット３３，４３と嵌合したときに正規の嵌合状態を形成するものであって、
前記筒状本体３１，４１は突出端面３４，４４を備えるとともに、前記ボタン本体１１，２１は、底面１５ａ，２５ａを設けた基部１５，２５を備え、
更に前記ケース３０，４０には、前記ボタン本体１１，２１の嵌合位置確認用突出部材５０，６０を設けて構成され、
前記筒状本体３１，４１の前記突出端面３４，４４から前記ボタン本体１１，２１の前記底面１５ａ，２５ａまでの間隔をＬ１、前記筒状本体３１，４１の前記突出端面３４，４４から前記嵌合位置確認用突出部材５０，６０の先端面５１，６１までの間隔をＬ２とした場合に、
前記ケース３０，４０に対する前記ボタン１０，２０の嵌合が正規の嵌合状態のときに、前記リブ１３，２３が前記スリット３３，４３に挿入されて「Ｌ１＜Ｌ２」となり、また、前記ケース３０，４０に対する前記ボタン１０，２０の嵌合が非正規の嵌合状態ときには、前記リブ１３，２３が前記筒状本体３１，４１の前記突出端面３４，４４に当接して「Ｌ１＞Ｌ２」となるように構成したことを特徴とするボタンの逆組み防止構造である。
【０００９】
本願第２請求項に記載した発明は、前記ケース３０，４０の内壁面には、前記ボタン１０，２０の挿入方向に沿う突条３５，４５を設けたことを特徴とする請求項１記載のボタンの逆組み防止構造である。
【００１０】
本願第３請求項に記載した発明は、前記ボタン本体１１，２１の前記底面１５ａ，２５ａを含む基部１５，２５には、その四隅のうち少なくとも一つを切り欠いた切欠部１５ｂ，２５ｂが設けられており、前記ケース３０，４０に対する前記ボタン１０，２０の嵌合が正規の嵌合状態の場合は、前記切欠部１５ｂ，２５ｂの存在により前記基部１５，２５は前記嵌合位置確認用突出部材５０，６０と非当接となり、また、前記ケース３０，４０に対する前記ボタン１０，２０の嵌合が非正規の嵌合状態の場合には、前記基部１５，２５が前記嵌合位置確認用突出部材５０，６０に当接することを特徴とする請求項１記載のボタンの逆組み防止構造である。
【００１１】
本願第４請求項に記載した発明は、前記ボタン本体１１，２１の基部１５，２５には、ボタンの反挿入方向に突出する脚部１６，２６が設けられていることを特徴とする請求項１記載のボタンの逆組み防止構造である。
【発明の効果】
【００１２】
本願第１請求項に記載した発明によれば、間隔Ｌ１と間隔Ｌ２との大小関係を認識するだけで、ケース３０，４０に対するボタン１０，２０の嵌合が正規であるか非正規であるかを判別することができる。すなわち、ボタン１０，２０をケース３０，４０に組み込んだ際に、ボタン本体１１，２１の底面１５ａ，２５ａが、嵌合位置確認用突出部材５０，６０の先端面５１，６１よりも奥側にある場合は正規の嵌合、手前側にある場合は非正規（逆組み）であることが一目でわかることになる。このように、嵌合位置確認用突出部材５０，６０を設けて間隔Ｌ１，Ｌ２を前記のように設定する簡易且つ合理的な構造により、組立の正常・異常の別を明確に判別することができるものである。
【００１３】
本願第２請求項に記載した発明によれば、ケース３０，４０の内壁面に、ボタン１０，２０の挿入方向に沿う突条３５，４５を設けたので、ケース３０，４０とボタン１０，２０との接触が線接触となり、これによって突条３５，４５を設けない場合に、つまり面接触である場合に生じ得る、接触抵抗や接触音を可及的に低下させることができる。
【００１４】
本願第３請求項に記載した発明によれば、ボタン本体１１，２１の底面１５ａ，２５ａを含む基部１５，２５には、その四隅のうち少なくとも一つを切り欠いた切欠部１５ｂ，２５ｂを設けて、ケース３０，４０に対するボタン１０，２０の嵌合が正規の嵌合状態の場合は、切欠部１５ｂ，２５ｂの存在により基部１５，２５は嵌合位置確認用突出部材５０，６０と非当接となり、また、ケース３０，４０に対するボタン１０，２０の嵌合が非正規の嵌合状態の場合には、基部１５，２５が嵌合位置確認用突出部材５０，６０に当接するように構成したので、請求項１記載の発明に加えて、ボタン本体１１，２１の基部１５，２５と、嵌合位置確認用突出部材５０，６０との当接・非当接により、組立の正常・異常の別を判別することができるものである。
【００１５】
本願第４請求項に記載した発明によれば、ボタン本体１１，２１の基部１５，２５には、ボタンの反挿入方向に突出する脚部１６，２６が設けられているので、ボタン１０，２０が強く押された際に、この脚部１６，２６によりボタンの損壊を回避することができる。また、ボタン本体１１，２１の基部１５，２５にスイッチ素子などのスイッチ部材が、当該基部１５，２５に当接して配置されることがあるところ、この場合脚部１６，２６によって、これらのスイッチ部材が保護され得て、その破損を回避することが可能となる。
【図面の簡単な説明】
【００１６】
【図１】本発明の実施例に係り、ボタンの組込みが正しい状態を示すボタン装置の斜視図である。
【図２】本発明の実施例に係り、「＋」が表示されたボタンを示す斜視図である。
【図３】本発明の実施例に係り、「＋」が表示されたボタンを示す正面図である。
【図４】本発明の実施例に係り、「＋」が表示されたボタンを示す背面図である。
【図５】本発明の実施例に係り、「＋」が表示されたボタンを示す右側面図である。
【図６】本発明の実施例に係り、「＋」が表示されたボタンを示す左側面図である。
【図７】本発明の実施例に係り、「＋」が表示されたボタンを示す平面図である。
【図８】本発明の実施例に係り、「＋」が表示されたボタンを示す底面図である。
【図９】本発明の実施例に係り、ケースを示す斜視図である。
【図１０】本発明の実施例に係り、ケースを示す平面図である。
【図１１】本発明の実施例に係り、ケースを示す正面図である。
【図１２】本発明の実施例に係り、ボタンの組込みが正しい状態を示すボタン装置の斜視図である。
【図１３】本発明の実施例に係り、「＋」が表示されたボタンの組込みが正しく且つ「−」が表示されたボタンの組込みが誤っている状態におけるボタンとケースの組込み態様を示す斜視図である。
【図１４】本発明の実施例に係り、ボタンの組込みが誤っている状態を示すボタン装置の側面図である。
【図１５】本発明の実施例に係り、「＋」が表示された一方のボタンの組込みが正しく且つ他方の「＋」が表示されたボタンの組込み自体が誤っている状態におけるボタンとケースの組込み態様を示す斜視図である。
【発明を実施するための形態】
【００１７】
以下に、本発明の実施例を図面に基づいて説明する。
【００１８】
図１に示す本例のボタン装置１は、先端に「＋」が表示されたボタン１０と、先端に「−」が表示されたボタン２０の２つのボタンを用いるとともに、これらのボタン１０，２０を、一対のケース（図９〜図１０参照）に嵌合して構成される。
【００１９】
先端に「＋」が表示されたボタン１０は、図２〜図８に示すように、ボタン本体１１の外壁面１２の長手方向にリブ１３を設け、先端部１４には「＋」が表示され、基部１５には、切欠部１５ｂと脚部１６を設けている。
【００２０】
図３に示すボタン１０において、正面側の外壁面１２ａの下部にリブ１３ａが、その下端部を基部１５に当接した状態で設けられており、同様に左右の外壁面１２ｂ，１２ｃの下部に、リブ１３ｂ，１３ｃが設けられている。これらのリブ１３ａ，１３ｂ，１３ｃは、後述する図９に示すケース３０のスリット３３ａ，３３ｂ，３３ｃに嵌合可能であり、そして、これらが嵌合したときに、ケース３０に対するボタン１０の正規の嵌合状態が形成される。
【００２１】
また、先端に「−」が表示されたボタン２０は、前述した先端に「＋」が表示されたボタン１０と同様に、ボタン本体１１，２１の外壁面の長手方向にリブ２３を設け、先端部には「−」が表示され、基部２５には、切欠部２５ｂと脚部２６を設けている（図１３〜図１４参照）。なお、このボタン２０は、そのリブ２３が、後述する図９に示すケース４０のスリット４３ａ，４３ｂ，４３ｃに嵌合可能であり、そして、これらが嵌合したときに、ケース４０に対するボタン２０の正規の嵌合状態が形成される。
【００２２】
本例のケース３０，４０は、図９〜図１１に示すように、筒状本体３１，４１を備え、ボタン１０，２０の前記外壁面の長手方向に設けたリブ１３，２３が嵌合可能なスリット３３，４３を設ける。そして、リブ１３，２３がスリット３３，４３と嵌合したときに正規の嵌合状態が形成される。
【００２３】
なお、ケース３０，４０のスリット３３，４３は、図９〜図１０において、ケース３０の３箇所のスリット３３ａ，３３ｂ，３３ｃとケース４０の３箇所のスリット４３ａ，４３ｂ，４３ｃとが、１８０度位相を変えて設けられており、且つ、各スリットの形成位置を、それぞれ筒状本体３１，４１の突出端面３４，４４において若干異ならしめている。このように、各スリット形成位置を異ならしめることにより、ケース３０，４０に対するボタン１０，２０の正規の嵌合状態が、４つの嵌合態様のうち１つだけ形成されることになる。
【００２４】
また、本例では、筒状本体３１，４１に、ボタン本体１１，２１の嵌合位置確認用突出部材５０，６０を設けている。
【００２５】
そして、筒状本体３１，４１の突出端面３４，４４からボタン本体１１，２１の底面１５ａ，２５ａまでの間隔をＬ１、筒状本体３１，４１の突出端面３４，４４から嵌合位置確認用突出部材５０，６０の先端面５１，６１までの間隔をＬ２とした場合に、間隔Ｌ１と間隔Ｌ２との間に次のような大小関係を設けている。
【００２６】
すなわち、ケース３０，４０に対するボタン１０，２０の嵌合が正規の嵌合状態のときに、リブ１３，２３がスリット３３，４３に挿入されて「Ｌ１＜Ｌ２」となり、また、ケース３０，４０に対するボタン１０，２０の嵌合が非正規の嵌合状態ときには、リブ１３，２３が筒状本体３１，４１の突出端面３４，４４に当接して「Ｌ１＞Ｌ２」となるように構成して、ボタンの逆組み防止構造を形成している。
【００２７】
このようにボタンの逆組み防止構造を形成すると、間隔Ｌ１と間隔Ｌ２との大小関係を認識するだけで、ケース３０，４０に対するボタン１０，２０の嵌合が正規であるか非正規であるかを判別することができる。すなわち、ボタン１０，２０をケース３０，４０に組み込んだ際に、ボタン本体１１，２１の底面１５ａ，２５ａが、嵌合位置確認用突出部材５０，６０の先端面５１，６１よりも奥側にある場合は正規の嵌合、手前側にある場合は非正規（逆組み）であることが一目でわかることになる。
【００２８】
本発明は、以上のように、嵌合位置確認用突出部材５０，６０を設けて間隔Ｌ１，Ｌ２を前記のように設定する簡易な構造だけで、組立の正常・異常の別を明確に判別することができるものである。
【００２９】
また、本例では、ケース３０，４０の内壁面に、ボタン１０，２０の挿入方向に沿う突条３５，４５を設けている。
【００３０】
このように、ケース３０，４０の内壁面に、ボタン１０，２０の挿入方向に沿う突条３５，４５を設けた場合は、ケース３０，４０とボタン１０，２０との接触が線接触となり、これによって突条３５，４５を設けない場合に比べて、接触抵抗や接触音を可及的に低下させることができる。
【００３１】
さらに本例では、ボタン本体１１，２１の基部１５，２５に、その四隅のうち少なくとも一つを切り欠いた切欠部１５ｂ，２５ｂが設けられている。そして、ケース３０，４０に対するボタン１０，２０の嵌合が正規の嵌合状態の場合は、この切欠部１５ｂ，２５ｂの存在により、基部１５，２５は嵌合位置確認用突出部材５０，６０と非当接となり、また、ケース３０，４０に対するボタン１０，２０の嵌合が非正規の嵌合状態の場合には、基部１５，２５が嵌合位置確認用突出部材５０，６０に当接するように設けられている。
【００３２】
このように、ボタン本体１１，２１の基部１５，２５に切欠部１５ｂ，２５ｂを設けて、ケース３０，４０に対するボタン１０，２０の嵌合が正規の嵌合状態の場合と非正規の嵌合状態とで、切欠部１５ｂ，２５ｂが嵌合位置確認用突出部材５０，６０と非当接となり、或いは、嵌合位置確認用突出部材５０，６０に当接するように構成したので、ボタン本体１１，２１の基部１５，２５と、嵌合位置確認用突出部材５０，６０との当接・非当接により、組立の正常・異常の別を判別することができるようになる。
【００３３】
また、本例では、ボタン本体１１，２１の基部１５，２５に、ボタンの反挿入方向に突出する脚部１６，２６が設けられている。
【００３４】
このように、ボタン本体１１，２１の基部１５，２５に、ボタンの反挿入方向に突出する脚部１６，２６を設けた場合は、ボタン１０，２０が強く押された際に、この脚部１６，２６によりボタンの損壊を回避することができる。また、ボタン本体１１，２１の基部１５，２５にスイッチ素子などのスイッチ部材が、当該基部１５，２５に当接して配置されることがあるが、このような場合は、脚部１６，２６によって、これらのスイッチ部材が保護され得て、その破損を回避することが可能となる。
【００３５】
以上説明したように、本例のボタンの逆組み防止構造は、簡易且つ合理的な構造でありながら、組立の正常・異常が明確に判別可能なボタンとケースの逆組み防止構造を得ることができるものである。なお、本例における各部の構成は、特許請求の範囲に記載した技術的範囲において適宜に設計変更が可能であり、図示の例で説明したものに限定されないことは勿論である。
【産業上の利用可能性】
【００３６】
本発明のボタンの逆組み防止構造は、とりわけスイッチ装置などに用いられるプラス・マイナスのボタン構造に好適に利用することが可能である。
【符号の説明】
【００３７】
１    ボタン装置
１０，２０    ボタン
１１，２１    ボタン本体
１２（１２ａ，１２ｂ，１２ｃ，１２ｄ），２２    外壁面
１３（１３ａ，１３ｂ，１３ｃ），２３    リブ
１４，２４    （挿入方向における）先端部
１５，２５    （挿入方向における）基部
１５ａ，２５ａ    底面
１５ｂ，２５ｂ    切欠部
１６，２６    脚部
２３（２３ａ，２３ｂ，２３ｃ）    リブ
３０，４０    ケース
３１，４１    筒状本体
３２（３２ａ，３２ｂ，３２ｃ，３２ｄ），４２（４２ａ，４２ｂ，４２ｃ，４２ｄ）    筒壁部
３３（３３ａ，３３ｂ，３３ｃ），４３（４３ａ，４３ｂ，４３ｃ）    スリット
３４，４４    突出端面
３５，４５    突条
５０，６０    位置確認用突出部材
５１，６１    位置確認用突出部材の先端面
Ｌ１，Ｌ２    間隔
【図１】
2018125067.tif 000003
【図２】
2018125067.tif 000004
【図３】
2018125067.tif 000005
【図４】
2018125067.tif 000006
【図５】
2018125067.tif 000007
【図６】
2018125067.tif 000008
【図７】
2018125067.tif 000009
【図８】
2018125067.tif 000010
【図９】
2018125067.tif 000011
【図１０】
2018125067.tif 000012
【図１１】
2018125067.tif 000013
【図１２】
2018125067.tif 000014
【図１３】
2018125067.tif 000015
【図１４】
2018125067.tif 000016
【図１５】
2018125067.tif 000017